(57)【要約】【課題】    仕掛けの釣り針からの脱落を防止した釣り用棚取り具を提供すること。【解決手段】  本願の釣り用棚取り具Ａは、対向する保持部４、５を設けた保持片２、３をヒンジ部９を中心に回動して保持部４、５を開閉可能に形成した保持体１を有し、この保持部４、５の間に仕掛けＳの釣り針Ｓ２を収納する釣り針収納空間６を有し、前記釣り針収納空間６内に釣り針Ｓ２を係止する軸状の係止部８を有している。釣り針収納空間６には、釣り糸挿通孔６ａが延設され、その開口６ｂが保持体１の外側上部に形成される。【選択図】        図１
2009284865.tif 000002
【特許請求の範囲】
【請求項１】
互いに対向する釣り針の保持部を有する釣り用棚取り具において、前記保持部に釣り針収納空間と釣り針係止部を設けたことを特徴とする釣り用棚取り具。
【請求項２】
釣り針収納空間は保持部の周縁に延設されて釣り糸挿通孔を有していることを特徴とする請求項１に記載の釣り用棚取り具。
【発明の詳細な説明】
【技術分野】
【０００１】
本発明は、仕掛けに取り付けて釣り場の水深を測るための釣り用棚取り具に関する。
【背景技術】
【０００２】
従来から釣りを行う前に仕掛けの調整をする必要があり、例えば、仕掛けに浮子を取り付ける位置を決めるために仕掛けの釣り針に取り付けて水深を測る釣り用棚取り具が使用されている。
【０００３】
釣り用棚取り具は、仕掛けの釣り針に取り付けて水底まで沈めた時の仕掛けに取り付けた浮子の状態を見ておよその水深を把握し、実際に釣りを行うときの仕掛けや浮子の位置等を適切な状態に調整するために使用されている。
【０００４】
しかしながら、従来の釣り用棚取り具は、仕掛けの釣り針に軽く刺し止めて取り付けたり、仕掛けの釣り針を狭持して取り付けるようになっているため釣り針から外れて脱落しやすいという欠点があった。
【特許文献１】実開昭５４−１２３３８９号公報
【発明の開示】
【発明が解決しようとする課題】
【０００５】
解決しようとする課題は、従来の釣り用棚取り具は、取り付けた仕掛けの釣り針から外れて脱落しやすいことである。
【０００６】
本発明の目的は前記欠点に鑑み、取り付けた仕掛けの釣り針からの脱落を防止した釣り用棚取り具を提供することである。
【課題を解決するための手段】
【０００７】
上記課題を解決するために、
請求項１に係わる本発明は、互いに対向する釣り針の保持部を有する釣り用棚取り具において、前記保持部に釣り針収納空間と釣り針係止部を設けたことを要旨とするものである。
請求項２に係わる本発明は、釣り針収納空間は保持部の周縁に延設されて釣り糸挿通孔を有していることを要旨とするものである。
【発明の効果】
【０００８】
本発明の請求項１によると、釣り用棚取り具の釣り針の保持部に設けた釣り針収納空間に釣り針を収納し、釣り針係止部に釣り針を係止して取り付けるため、仕掛けの釣り針から釣り用棚取り具の脱落が防止できる。
本願の請求項２によると、保持部に釣り針取り付けた仕掛けの釣り糸を糸挿通孔に挿通できるため、釣り用棚取り具への取り付けによって仕掛けの釣り糸を傷つけることが防止できる。
【発明を実施するための最良の形態】
【０００９】
以下、本発明の実施形態を図面に基づき説明すると、図１から図５は本願の第１実施例で、図１は釣り用棚取り具の正面図、図２は釣り用棚取り具の平面図、図３は釣り用棚取り具の縦断面図、図４は釣り用棚取り具の保持部を閉じた状態の横断面図、図５は釣り用棚取り具の保持部を開いた状態の横断面図である。
【００１０】
本願の釣り用棚取り具Ａは、対向する保持部４、５を有する保持体１とこの保持部４、５に仕掛けＳの釣り針Ｓ２を収納する釣り針収納空間６を有し、前記釣り針収納空間６内に釣り針Ｓ２を係止する係止部８を有している。
【００１１】
保持体１は、ゴム、合成樹脂、金属等で形成され、釣り用棚取り具Ａは水に沈むようになっており、また、根掛かりを防止するため球状に形成されている。
保持体１は、一対の保持片２、３を有し、保持片２、３は向かい合わせ状の保持部４、５を有し、保持片２、３の一側が結合され、この結合部が変形可能なヒンジ部９となって、ヒンジ部９を変形させることで保持片２、３がヒンジ部９を中心に回動し、向かい合わせた保持部４と保持部５の間を開いたり閉じたりして開閉可能になっている。
【００１２】
一方の保持片２の保持部４の中央側には凹部６ｃが形成され、その一側から上方側の保持部４の縁部に向けて保持部４に沿って仕掛けＳの釣り糸Ｓ１が挿通される釣り糸挿通孔６ａを形成するため凹部６ｃが通路状に延設されている。
【００１３】
さらに、一方の保持片２の保持部４中央側の凹部６ｃ内には釣り針Ｓ２が係止される係止部８が形成されている。
係止部８は保持部４の凹部６ｃの中央側に他方の保持片３の保持部５に向けて突設された軸状の突出部からなる係止部８で、仕掛けＳの釣り針Ｓ２の湾曲部Ｓ３が係止されるようになっている。
【００１４】
他方の保持片３の保持部５には、一方の保持片２の凹部６ｃに対応する形状となるように、保持部５の中央側に凹部６ｄが形成され、その一側から上方側の保持部５の縁部に向けて保持部５に沿って仕掛けＳの釣り糸Ｓ１が挿通される釣り糸挿通孔６ａを形成するため凹部６ｄが通路状に延設されている。
【００１５】
また、他方の保持片３の保持部５の凹部６ｄ内には一方の保持片２の保持部４から延びる軸状の係止部８の先端側が収納される収納凹部６ｅが形成されている。
収納凹部６ｅは、係止部８の先端側が余裕を持って収納されるように形成したが、係止部８の先端側が差し込まれて嵌合してもよい。
また、収納凹部６ｅを形成せずに、係止部８の先端側が他方の保持片３の保持部５の凹部６ｄ内に当接するようにしてもよい。
【００１６】
保持体１の保持片２、３が連結されたヒンジ部９の前記一対の保持部４、５の反対側にはそれぞれ保持片２側と保持片３側につまみ１０、１０が形成され、これをつまんでつまみ１０、１０同士を近づけるように操作するとヒンジ部９が変形してこれを中心に保持片２、３が回動して保持部４と保持部５が互いに離れて開くようになっている。
さらに、つまみ１０、１０を離すと保持体１（またはヒンジ部９）を形成する材料の弾性で保持片２、３の保持部４、５の間の空間が近づいて閉じる付勢力を有している。
【００１７】
保持片２、３の保持部４と保持部５の間のヒンジ部９側にはヒンジ部９の変形による作動を容易にするため切り欠き７が形成され、また、上記保持体１（またはヒンジ部９）の材料による弾性で保持片２、３の保持部４、５が閉じる付勢力を補うためにつまみ１０、１０の間につまみ１０、１０の間隙を離して開き、保持片２、３の保持部４と保持部５の間を近づけて閉じるように付勢するＵ字型のばねの付勢部材１１が取り付けられている。
なお、保持体１（またはヒンジ部９）の材料はその可撓性で変形し、つまみ１０、１０を離すと元に戻るように形成して付勢部材１１を省略することができる。
【００１８】
保持片２、３の保持部４と保持部５の間が閉じると互いに合致する形状の凹部６ｃ、凹部６ｄが向かい合って保持体１内部に空室状の釣り針収納空間６が形成され、釣り針収納空間６は保持体１中央の釣り針Ｓ２が収納される空間と釣り糸Ｓ１が収納され挿通される釣り糸挿通孔６ａが形成され、釣り糸挿通孔６ａの開口６ｂが保持体１の外側上部に形成される。
また、保持片２、３の保持部４と保持部５の間が閉じると保持部４の軸状の係止部８の先端側が保持片３の保持部５の凹部６ｄ内の収納凹部６ｅ内に差し込まれ、軸状の係止部８が保持体１の釣り針収納空間６内に保持片２側から保持片３側に架設される。
【００１９】
このように形成された釣り用棚取り具Ａを使用するときは、つまみ１０、１０をつまんで保持体１（またはヒンジ部９）を形成する材料の弾性による付勢力または、Ｕ字型のばねの付勢部材１１の付勢力に抗してつまみ１０、１０同士を近づける操作を行いヒンジ部９を変形させて保持片２、３をヒンジ部９を中心に回動し向かい合わせた保持部４、５の間を開く。
【００２０】
次に、保持片２と保持片３の間に仕掛けＳを差し入れて、釣り針Ｓ２の湾曲部Ｓ３を軸状の係止部８に係止して釣り針収納空間６（凹部６ｃ）内に収納し、その釣り糸Ｓ１を釣り糸挿通孔６ａに挿通して開口６ｂから保持体１の外側に出るように取り付け、つまみ１０、１０を離して保持部４、５の間を閉じて、仕掛けＳの釣り針Ｓ２に釣り用棚取り具Ａの保持体１を取り付ける。
【００２１】
このようにすると、釣り針Ｓ２は軸状の係止部８に湾曲部Ｓ３で係止され、保持体１内の釣り針収納空間６に収納されて保持されるため、仕掛けＳから釣り用棚取り具Ａが脱落することが防止される。
さらに、釣り針Ｓ２は、釣り針収納空間６内に収納されるため釣り針が保護され、針先が保持体１の外側に突出しないため針先の破損や根掛かりが防止される。
また、釣り糸Ｓ１が釣り糸挿通孔６ａに挿通されの開口６ｂから出されるため、釣り用棚取り具Ａの取付による釣り糸の傷付きが防止される。
【００２２】
釣り用棚取り具Ａを仕掛けＳに取り付けて水中に沈めて水底に着いた時点で釣り場の水深が測定され、仕掛けＳの沈み具合に応じて仕掛けの浮子の取り付け位置など仕掛けの調整を行うことができる。
【００２３】
図６から図７は、本願の第１実施例の変形例で、図６は釣り用棚取り具の保持部を閉じた状態の横断面図、図７は釣り用棚取り具の保持部を開いた状態の横断面図である。
【００２４】
この本願の第１実施例の変形例は保持体１を保持片２と保持片３を別体に形成し、保持片２と保持片３を回動軸１２に回動自在に取り付け、コイルばねからなる付勢部材１３でつまみ１０，１０を開くように付勢し、また、保持片２と保持片３の保持部４と保持部５が閉じるように形成し、保持部４と保持部５が開閉可能になっている。
保持片２、３が連結されたヒンジ部９に代えてこのように保持片２と保持片３を回動軸１２によって回動するように形成して保持片２と保持片３の保持部４と保持部５を開いたり閉じたりしてもよい。
【００２５】
図８から図１０は、本願の第２実施例で、図８は釣り用棚取り具の正面図、図９は釣り用棚取り具の保持部を閉じた状態の横断面図、図１０は釣り用棚取り具の保持部を開いた状態の横断面図である。
【００２６】
第２実施例の釣り用棚取り具Ｂは、保持体２１がそれぞれ分離可能に別体で形成した保持片２２と保持片２３からなり、それぞれの保持部２４、２５の中央側にそれぞれ凹部２６ｃ、２６ｄが形成され、保持部２４の凹部２６ｃの中央から軸状の係止部２８が保持片６３の保持部２５に向けて突設され、一方、保持部２５の凹部２６ｄには軸状の係止部２８の先端側が差し込み可能な収納凹部２６ｅが形成されている。
【００２７】
軸状の係止部２８の先端側は太径に形成された係合部２８ａが形成され、収納凹部２６ｅには係止部２８の係合部２８ａが係合する凹状の係止部２６ｆが形成されている。
保持部２４と保持部２５を合わせて保持部２４、保持部２５が閉じられるとそれぞれ凹部２６ｃ、２６ｄが閉じて釣り針収納空間２６が形成され、釣り糸Ｓ１が挿通される釣り糸挿通孔２６ａが形成され、開口２６ｂが保持体２１外側の上部に形成される。
このように形成された釣り用棚取り具Ｂにおいても第１実施例と同様の作用効果が得られる。
【００２８】
なお、本願の釣り針の係止部８、２８は軸状に形成する他に釣り針Ｓを刺し止め可能な係止部を設けてもよい。
また、釣り針収納空間６、２６は、対向する保持片２と保持片３、または、対向する保持片２２と保持片２３の両方に亘って設けたが、対向する保持片の一方に形成してもよい。
【産業上の利用可能性】
【００２９】
本発明は、釣り用棚取り具全般に利用できる。
【図面の簡単な説明】
【００３０】
【図１】本願の第１実施例で、釣り用棚取り具の正面図である。
【図２】同、釣り用棚取り具の平面図、である。
【図３】同、釣り用棚取り具の縦断面図である。
【図４】同、釣り用棚取り具の保持部を閉じた状態の横断面図である。
【図５】同、釣り用棚取り具の保持部を開いた状態の横断面図である。
【図６】本願の第１実施例の変形例で、釣り用棚取り具の保持部を閉じた状態の横断面図である。
【図７】同、釣り用棚取り具の保持部を開いた状態の横断面図である。
【図８】本願の第２実施例で、釣り用棚取り具の正面図である。
【図９】同、釣り用棚取り具の保持部を閉じた状態の横断面図である。
【図１０】同、釣り用棚取り具の保持部を開いた状態の横断面図でである。
【符号の説明】
【００３１】
Ａ、Ｂ    釣り用棚取り具
１、２１  保持体
２、３、２２、２３  保持片
４、５、２４、２５  保持部
６、２６  釣り針収納空間
８、２８  係止部
【図１】
2009284865.tif 000003
【図２】
2009284865.tif 000004
【図３】
2009284865.tif 000005
【図４】
2009284865.tif 000006
【図５】
2009284865.tif 000007
【図６】
2009284865.tif 000008
【図７】
2009284865.tif 000009
【図８】
2009284865.tif 000010
【図９】
2009284865.tif 000011
【図１０】
2009284865.tif 000012